(57)【特許請求の範囲】
【請求項１】
樹脂を射出ノズルから金型に射出成形して成形品を形成する射出成形機の射出ノズル温度制御方法であって、
成形工程中には第１の設定温度にて温度制御を行う工程と、
成形を停止させる信号を検出する工程と、
前記成形を停止させる信号を検出した場合に前記射出ノズルと前記金型を接触させたまま前記温度制御する温度を前記第１の設定温度より高い所定の第２の設定温度に自動的に変更して成形を停止する工程と、
成形が再開する信号を検出する工程と、
前記成形が再開する信号を検出した場合に前記温度制御する温度を前記第１の設定温度に戻す工程と
を有し、前記第２の設定温度に自動的に変更する際に、複数段階に分けて上昇させることを特徴とする射出ノズル温度制御方法。
【請求項２】
前記第２の設定温度が前記第１の設定温度より２０℃〜４０℃高いことを特徴とする請求項１記載の射出ノズル温度制御方法。
【請求項３】
成形工程中から成形停止中にわたって前記射出ノズルの温度が一定になるように、前記射出ノズルと前記金型とを接触させながら前記第１の設定温度で成形停止する場合の前記射出ノズルの温度低下の理論値に対応して前記第２の設定温度を複数段階に分けて上昇させることを特徴とする請求項１または請求項２のいずれかに記載の射出ノズル温度制御方法。
【請求項４】
樹脂を射出ノズルから金型に射出成形して成形品を形成する射出成形機の射出ノズル温度制御方法であって、
成形工程中には第１の設定温度にて温度制御を行う工程と、
成形を停止させる信号を検出する工程と、
前記成形を停止させる信号を検出した場合に前記射出ノズルと前記金型を接触させたまま前記第１の設定温度で温度制御しながら成形を停止する工程と、
成形が再開する信号を検出する工程と、
前記成形が再開する信号を検出した場合に前記温度制御する温度を前記第１の設定温度より高い所定の第２の設定温度に自動的に変更する工程と、
前記射出ノズルの温度が前記成形工程中の温度になるまで前記第２の設定温度での温度制御を保持する工程と、
前記射出ノズルの温度が前記成形工程中の温度になると前記温度制御する温度を前記第１の設定温度に戻して成形を再開する工程と
を有することを特徴とする射出ノズル温度制御方法。
【請求項５】
樹脂を射出ノズルから金型に射出成形して成形品を形成する射出成形機の射出ノズル温度制御方法であって、
成形工程中には第１の設定温度にて温度制御を行う工程と、
成形を停止させる信号を検出する工程と、
前記成形を停止させる信号を検出した場合に前記射出ノズルと前記金型を接触させたまま温度制御を中止して成形を停止する工程と、
成形が再開する信号を検出する工程と、
前記成形が再開する信号を検出した場合に前記温度制御する温度を前記第１の設定温度より高い所定の第２の設定温度に自動的に設定する工程と、
前記射出ノズルの温度が前記成形工程中の温度になるまで前記第２の設定温度での温度制御を保持する工程と、
前記射出ノズルの温度が前記成形工程中の温度になると前記温度制御する温度を前記第１の設定温度に戻して成形を再開する工程と
を有することを特徴とする射出ノズル温度制御方法。
【請求項６】
前記第２の設定温度が前記第１の設定温度より２０℃〜４０℃高いことを特徴とする請求項４または請求項５のいずれかに記載の射出ノズル温度制御方法。
【発明の詳細な説明】
【技術分野】
【０００１】
本発明は、射出成形によって樹脂成形を行う射出成形機に係る、樹脂を射出する射出ノズルの温度制御方法に関するものである。
【背景技術】
【０００２】
半導体部品等を始め様々な樹脂成形品を製造する際には、射出成形機を用いて、溶融した樹脂を金型に注入し、樹脂を冷却することにより所定の形状の樹脂成形品を製造している。
【０００３】
金型内に射出充填された溶融樹脂は、冷却工程中に金型に放熱して冷却されることにより、製品部と共にスプルーランナー部も固化し、型開き時にノズル先端部にて分離される。そのため、ノズル先端部には半溶融或いは固化した樹脂（コールドスラグ）が存在している。また、このコールドスラグの固化状態が進んでいる時には、このコールドスラグを起因とするフローマークやシルバーストリームが発生する。さらに、固化状態が進んだ時にはノズル詰まりが発生し、成形品が未充填になる場合もある。逆にノズル先端部の樹脂が溶融したままの状態の場合にはスプルーが糸引き状態になり、その糸状樹脂が製品部に張り付き、次のショットで外観不良を発生させたり、金型に挟み込まれ金型を破損させたりするトラブルが発生する。
【０００４】
そのため、１つの樹脂成形品を製造してから次の樹脂成形品を製造するまでの間に、ノズル先端の温度を制御してノズル詰まりや外観不良等を抑制している。
一般的に、射出成形機を用いた樹脂形成では、金型を閉じた状態で樹脂を金型内に射出し、保持，冷却した後金型を開いて完成した樹脂成形品を取り出し、再び金型を閉じて一連の動作を繰り返すことにより連続的に樹脂成形品を製造している。
【０００５】
従来、この連続的な樹脂成形品の製造の際に、各樹脂成形品の製造工程間に射出ノズルの温度制御を行っていた。
以下、図６，図７を用いて従来の射出ノズル温度制御方法について説明する。
【０００６】
図６は従来の連続成形中の射出ノズル温度制御方法における温度変化を示す図であり、図７は従来の樹脂成形開始時の射出ノズル温度制御方法における温度変化を示す図である。図６，図７において、横軸に工程サイクル、縦軸にノズル温度を示す。
【０００７】
図６に示すように、従来の温度制御では、金型を閉じてから射出を開始するまでの間に射出ノズルを加熱し、射出ノズル中の樹脂が固化してノズル詰まりが発生することを抑制している（例えば、特許文献１参照）。
【特許文献１】特開平９−２４８８４７号公報
【特許文献２】特開２００１−１０５６１５号公報
【発明の開示】
【発明が解決しようとする課題】
【０００８】
しかしながら、従来の射出ノズル温度制御方法では、連続成形中のノズル詰まりを防止することができるが、特にノズルが金型に接触したままで成形工程自体を停止した場合は、次の射出動作が始まるまでに更に固化が進むという問題点があった。逆に、停止中に射出ノズルと金型を離して待機すると、樹脂が射出ノズルと金型との接触面に流出し、射出ノズルのメンテナンスの必要性が生じてしまう。
【０００９】
また、近年、生産効率の向上を図るため、樹脂成型ラインと樹脂成形品の組み立てラインを直結することが往々にしてあり、組み立てラインの停止等に応じて樹脂成型ラインを停止させることが頻繁に起こるようになってきている。
【００１０】
それにともない、樹脂成型工程を停止した場合に射出ノズルの先端において樹脂が固化する問題が頻発するようになってきた。
図７に示すように、成形停止中においても射出ノズルが金型と接触して待機している場合には、射出ノズルの設定温度を一定にして停止していても、金型に熱が放出されるため、射出ノズルの温度を設定温度に保持することができない場合があった。そして、射出ノズルの温度がＴを下回ると、射出ノイズ中の樹脂が固化してノズル詰まりを引き起こし、成形工程を再開した場合の最初の成形において、成形品が未充填になるという問題点があった。逆に、単純に射出ノズルを加温した場合には、温度が高くなりすぎることもあり、樹脂が軟化しすぎると成形工程を再開した場合、数個の成形品を成形している間に糸引き等が発生し、外観不良等が発生するという問題点があった。
【００１１】
さらに、連続成形中の樹脂成形間に射出ノズルの温度制御を行う場合には、樹脂成形間の時間が短くほぼ一定であるため容易に温度制御を行うことができるが、樹脂成型を停止している場合には、停止時間に長短があり一定せず、樹脂成形間の場合に比べると停止時間が非常に長くなるため、単に射出ノズルの温度を上げるだけでは温度が上がりすぎるため、はなたれや糸引きの不具合を抑制しながら樹脂の固化を抑制することが困難であるという問題点があった。
【００１２】
上記問題点を解決するために、本発明の射出ノズル温度制御方法は、射出成形工程の停止期間に射出ノズルと金型を接触させておいた場合であっても、射出成形工程の停止期間後の射出成形時における、ノズル詰まりや糸引きを防止して成形品の未充填や外観不良を防止することを目的とする。
【課題を解決するための手段】
【００１３】
上記目的を達成するために、本発明の射出ノズル温度制御方法は、樹脂を射出ノズルから金型に射出成形して成形品を形成する射出成形機の射出ノズル温度制御方法であって、成形工程中には第１の設定温度にて温度制御を行う工程と、成形を停止させる信号を検出する工程と、前記成形を停止させる信号を検出した場合に前記射出ノズルと前記金型を接触させたまま前記温度制御する温度を前記第１の設定温度より高い所定の第２の設定温度に自動的に変更して成形を停止する工程と、成形が再開する信号を検出する工程と、前記成形が再開する信号を検出した場合に前記温度制御する温度を前記第１の設定温度に戻す工程とを有し、前記第２の設定温度に自動的に変更する際に、複数段階に分けて上昇させることを特徴とする。
【００１６】
また、成形工程中から成形停止中にわたって前記射出ノズルの温度が一定になるように、前記射出ノズルと前記金型とを接触させながら前記第１の設定温度で成形停止する場合の前記射出ノズルの温度低下の理論値に対応して前記第２の設定温度を複数段階に分けて上昇させても良い。
【００１７】
または、本発明の射出ノズル温度制御方法は、樹脂を射出ノズルから金型に射出成形して成形品を形成する射出成形機の射出ノズル温度制御方法であって、成形工程中には第１の設定温度にて温度制御を行う工程と、成形を停止させる信号を検出する工程と、前記成形を停止させる信号を検出した場合に前記射出ノズルと前記金型を接触させたまま前記第１の設定温度で温度制御しながら成形を停止する工程と、成形が再開する信号を検出する工程と、前記成形が再開する信号を検出した場合に前記温度制御する温度を前記第１の設定温度より高い所定の第２の設定温度に自動的に変更する工程と、前記射出ノズルの温度が前記成形工程中の温度になるまで前記第２の設定温度での温度制御を保持する工程と、前記射出ノズルの温度が前記成形工程中の温度になると前記温度制御する温度を前記第１の設定温度に戻して成形を再開する工程とを有することを特徴とする。
【００１８】
または、本発明の射出ノズル温度制御方法は、樹脂を射出ノズルから金型に射出成形して成形品を形成する射出成形機の射出ノズル温度制御方法であって、成形工程中には第１の設定温度にて温度制御を行う工程と、成形を停止させる信号を検出する工程と、前記成形を停止させる信号を検出した場合に前記射出ノズルと前記金型を接触させたまま温度制御を中止して成形を停止する工程と、成形が再開する信号を検出する工程と、前記成形が再開する信号を検出した場合に前記温度制御する温度を前記第１の設定温度より高い所定の第２の設定温度に自動的に設定する工程と、前記射出ノズルの温度が前記成形工程中の温度になるまで前記第２の設定温度での温度制御を保持する工程と、前記射出ノズルの温度が前記成形工程中の温度になると前記温度制御する温度を前記第１の設定温度に戻して成形を再開する工程とを有することを特徴とする。
【００１９】
また、前記第２の設定温度が前記第１の設定温度より２０℃〜４０℃高いことが好ましい。
【００２０】
以上により、射出成形工程の停止期間に射出ノズルと金型を接触させておいた場合であっても、射出成形工程の停止期間後の射出成形時における、ノズル詰まりや糸引きを防止して成形品の未充填や外観不良を防止することができる。
【発明の効果】
【００２１】
以上のように、射出成形工程の停止期間中における射出ノズルの温度制御の設定温度を、射出成形中の設定温度より高い所定の設定温度に変更することにより、射出成形工程の停止期間に射出ノズルと金型を接触させておいた場合であっても、射出成形工程の停止期間後の射出成形時における、ノズル詰まりや糸引きを防止して成形品の未充填や外観不良を防止することができる。
【発明を実施するための最良の形態】
【００２２】
本発明の射出ノズル温度制御方法は、射出成形工程の停止期間に射出ノズルと金型を接触させた状態で、射出ノズルの設定温度を自動的に上昇させ、射出ノズル内の樹脂が適切な状態になるように射出ノズルの温度を制御することにより、ノズル詰まりや糸引きを防止し、射出成形工程の停止期間後の射出成形においても成形品の未充填や外観不良を防止することができるものである。
【００２３】
以下、各実施の形態について図面を用いて詳細に説明する。
（実施の形態１）
まず、図１〜図３を用いて、実施の形態１における射出ノズル温度制御方法について説明する。
【００２４】
図１は本発明の射出成形機の構成を説明するための模式断面図であり、射出成形機の制御方法を実施する射出成形機および金型を簡略的に示す全体断面図である。図２は実施の形態１における樹脂成形開始時の射出ノズル温度制御方法における温度変化を示す図、図３は本発明の射出ノズル温度制御方法における設定温度変更工程を説明するフロー図である。
【００２５】
図１に示すように、例えば、射出成形機がスクリュウ・プリプラ式である場合、射出装置１００と、この射出装置１００に可塑化した成形材料を供給する予備可塑化装置２００とから構成され、射出装置１００から可塑化した成形材料が金型３００のキャビティ３０１に射出注入されるよう構成されている。なお、射出成形機は、スクリュウ・プリプラ式に限定されるものではない。
【００２６】
射出装置１００は、先端部が金型３００に接するノズル１１を有するシリンダ１と、駆動手段３により駆動され、シリンダ１内部のノズル１１よりも基部側（本体内部側）においてシリンダ１の軸心方向に摺動するプランジャ２と、このプランジャ２を軸心方向に移動させる（図１においては昇降させる）駆動手段３とをそれぞれ備えている。シリンダ１におけるプランジャ２の摺動位置の途中箇所には、予備可塑化装置２００からの可塑化された成形材料が供給される供給口１２が設けられている。
【００２７】
駆動手段３は、シリンダ１の基端部から軸心方向に沿って上方に伸びた複数のスライドガイド軸３１と、スライドガイド軸３１の一端に取り付けられた支持台３２と、この支持台３２に設置された駆動モータ３３と、一端が駆動モータ３３に連結されて回転するねじ軸３４と、ねじ軸３４のねじ部分に噛み合ってねじ軸３４の正逆回転によりスライドガイド軸３１に沿って移動する移動部材３５とを備えている。移動部材３５の一端は、圧力検出器としてのロードセル３６を介してプランジャ２の上端に連結されていて、その駆動力をプランジャ２に伝達して、プランジャ２を移動させる。なお、ロードセル３６は、プランジャ２のシリンダ１内の樹脂（樹脂ペレット）側から受ける射出圧力を検出するための圧力検出器として機能する。また、駆動モータ３３には、ねじ軸３４の回転数および回転角度に基づいて、プランジャ２の位置を検出する位置検出器としてのエンコーダ３７が取り付けられている。なお、エンコーダ３７を設ける代わりに、プランジャ２の基端部または先端部などや、移動部材３５の位置を検出する位置センサを配設してもよい。また、５は駆動モータ３３の駆動制御を行う制御部、４は成形材料としての樹脂溶融液が供給口１２に逆流することを防止する逆流防止弁である。なお、駆動手段３は、上記構成に限られるものではなく、プランジャ２を所定位置に移動制御できて、プランジャ２に作用する樹脂射出圧力と、プランジャ２の位置とを認識できる構成であればよい。
【００２８】
予備可塑化装置２００は、ホッパ２０１とスクリュウ２０２とスクリュウハウジング２０３とを備えており、ホッパ２０１に溜められた成形材料としての粒状の樹脂（樹脂ペレット）が、スクリュウ２０１によってスクリュウハウジング２０３内を可塑化されながら送られ、可塑化された樹脂がシリンダ１の供給口１２を通じてシリンダ１内に送り込まれる。
【００２９】
キャビティ３０１は流路が絞られたランナーゲート３０３によりスプルーランナー部３０２と製品部３０４に分離される。
ノズル１１の回りには加熱装置（例えばコイルヒータ）１３が外装され、また熱電対１４が配設されている。加熱装置１３と熱電対１４は温度調整装置６に接続され、ノズル１１が設定温度を維持するようにＰＩＤ制御等により温度制御されている。
【００３０】
なお、図示しないが、スクリュウハウジング２０３およびシリンダ１には、ノズル１１と同様にそれぞれ加熱装置（例えばパネルヒータ）が外装されるなどして設けられており、成形時においてそれぞれ所定温度まで加熱される。
【００３１】
そして、上記構成において、予備可塑化装置２００からシリンダ１内に可塑化された樹脂が供給口１２を通じて供給され、シリンダ１内において可塑化された樹脂を満たした状態で、プランジャ２をノズル１１側に移動させる（この実施の形態では下降させる）ことにより、１ショット分の可塑化された成形材料（樹脂）が金型３００のキャビティ３０１に射出注入される。その後、金型３００のキャビティ３０１内の樹脂が固化するまで、プランジャ２によって射出圧力を保持させる。そして、樹脂が固化した時点で、金型３００を離型させてキャビティ３０１内の成形製品を取り出し、再度、金型３００を組付けて、プランジャ２の移動、保持を行って射出工程、保持工程を繰り返すことで、成形動作を繰り返す。
【００３２】
以上のような成形工程を停止した場合、金型３００とノズル１１との間に成形材料である樹脂が流出することを防止するために、金型３００とノズル１１を接触させた状態で成形工程を停止させる。その場合、金型３００を離型させてキャビティ３０１内の成形製品取り出し後、ノズル１１の先端は金型に熱を吸収され続けることにより、ノズル１１の設定温度を維持することができず、ノズル１１の温度がある温度Ｔ（図２参照）より低くなると、ノズル１１の先端に存在する樹脂は成形工程を再開するまでに徐々に固化が進み、コールドスラグとなる。
【００３３】
そこで、本実施の形態における射出成形ノズルの温度制御方法では、図２に示すように、成形工程を停止する際に、設定温度を自動的に上昇させ、成形停止中のノズル１１の温度をノズル詰まりが発生する温度Ｔ以上に保たせることにより、ノズル１１内の樹脂が固化してノズル詰まりを生じることを防止し、成形品が未充填となることを防止する。この時、設定温度は、ノズル１１の温度が上がりすぎて、糸引き等による外観不良が発生しないように高すぎない温度に設定する必要がある。例えば、樹脂が一般的なエポキシ樹脂の場合には、設定温度を２０℃〜４０℃程度上げることにより、糸引き等の不具合を抑制しながらノズル１１先端に残る樹脂の固化を抑制することができる。また、成形工程を再開する際には、設定温度を元の設定温度に戻してから成形工程を再開する。
【００３４】
図３を用いて設定温度の変更工程について説明する
図３において、まず、第１の設定温度でノズル１１の温度制御を行う成形工程中に成形が停止するかどうかを検知する（ステップ１）。射出成形機からの成形停止信号を受信して成形が停止される場合には、ノズル１１の温度制御の設定温度を第１の設定温度から所定温度高い第２の設定温度に変更する（ステップ２）。そして、成形停止中は金型３００とノズル１１を接触させた状態で、第２の設定温度でノズル１１の温度制御を行う。この成形停止中に、射出成形機からの成形再開信号を受信することにより成形を再開することを検知し（ステップ３）、成形が再開される場合には、ノズル１１の温度制御の設定温度を第１の設定温度に戻す（ステップ４）。その後、ノズル１１を第１の設定温度で温度制御しながら成形工程を行う。
【００３５】
以上のように、成形工程を停止する際に、射出ノズル先端のメンテナンスの必要性をなくすために金型と射出ノズルを接触した状態で保持する場合であっても、成形工程を停止中の射出ノズル設定温度を自動的に成形工程中の設定温度より所定の範囲で高くすることにより、ノズル詰まりや糸引きを防止し、射出成形工程の停止期間後の射出成形においても成形品の未充填や外観不良を防止することができる。
（実施の形態２）
次に、図１，図４を用いて、実施の形態２における射出ノズル温度制御方法について説明する。
【００３６】
図４は実施の形態２における樹脂成形開始時の射出ノズル温度制御方法における温度変化を示す図である。
本実施の形態における射出成形ノズルの温度制御方法では、図４に示すように、実施の形態１における射出成形ノズルの温度制御方法に対して、設定温度の上昇を段階的に行うことを特徴とする。また、段階的な上昇を、ノズル１１の先端部の熱伝導に伴う温度の変化カーブの理論値に基づき、温度の振幅を抑えながら温度を上昇するように設定温度を段階的に上昇させることもできる。つまり、図７に示すように、ノズル１１を金型３００に接触させたままで射出成形工程を停止させると、ノズル１１の温度は熱伝導率に応じたカーブを描きながら徐々に低下する。このカーブと対照的な設定温度のカーブ、あるいはそれに近似される段階的な設定温度変化を持たせるように設定温度を自動的に変化させる。それにより、射出成形工程中と同様に射出成形停止中も一定の温度を維持することができる。
【００３７】
一般的に、設定温度を急激に上昇させると、ノズル１１の温度上昇が、オーバーシュートやアンダーシュートを伴って上昇する。このように、温度の振幅を伴って設定温度に近づくため、成形工程を停止する際に設定温度を上昇させても、ノズル１１の温度が一時的に樹脂が固化する温度Ｔより下がって樹脂が固化することによりノズル詰まりが発生したり、温度が上昇しすぎて外観不良が発生したりするため、最適な温度制御を行うことが困難な場合もあり、特に、成形工程再開後最初の成形品にて不具合が生じる場合がある。
【００３８】
温度上昇の振幅を抑制するためには、ノズル先端部の熱伝導に伴う温度の変化カーブの理論値に基づいて、設定温度を徐々に上昇させる必要がある。温度上昇の振幅を抑制することにより、射出成形工程中と同様に射出成形停止中も一定の温度を維持することができ、ノズル１１の温度制御中に温度が上昇しすぎたり降下しすぎたりすることを抑制でき、成形再開後の最初の成形品であっても成形品の未充填や外観不良を防止することができる。
【００３９】
以上のように、成形工程を停止する際に、射出ノズル先端のメンテナンスの必要性をなくすために金型と射出ノズルを接触した状態で保持する場合であっても、成形工程を停止中の射出ノズル設定温度を自動的に成形工程中の設定温度より所定の温度まで徐々に高くすることにより、ノズル詰まりや糸引きを防止し、射出成形工程の停止期間後に最初に射出成形した成形品の未充填や外観不良を防止することができる。
（実施の形態３）
次に、図１，図５を用いて、実施の形態３における射出ノズル温度制御方法について説明する。
【００４０】
図５は実施の形態３における樹脂成形開始時の射出ノズル温度制御方法における温度変化を示す図である。
本実施の形態における射出成形ノズルの温度制御方法では、図５に示すように、実施の形態１における設定温度の上昇を、射出成形機からの成形再開信号を受信することにより行うことを特徴とする。
【００４１】
成形停止期間中は射出成形中と同じ第１の設定温度でノイズ１１の温度制御を続けることにより、ノズル１１の温度は金型３００に放熱されるため、図７に示すように低下している。ここで、射出成形機からの成形再開信号を受信すると、自動的に設定温度を実施の形態１と同様に所定の第２の設定温度に上昇させる。その後、ノイズ１１の温度が射出成形時の温度まで上昇するまでの間第２の設定温度での温度制御を保持し、ノイズ１１の温度が上昇してノイズ１１内の樹脂が適度な軟度に軟化したところで、設定温度を第１の設定温度に戻し、射出成形を再開する。
【００４２】
このように、成形再開が指示された後、射出成形を再開されるまでの間に設定温度を上昇させてノイズ１１内部の樹脂を軟化させることにより、必要以上の期間に渡り高い温度で温度制御することなく、成形停止中にノズル１１を金型３００に接触させておいたとしても、射出成形再開までにノズル１１内部の樹脂を軟化させるように温度制御することにより、ノズル詰まりや糸引きを防止し、射出成形工程の停止期間後に射出成形した成形品の未充填や外観不良を防止することができる。
【００４３】
ここでは、成形停止期間中にも第１の設定温度で温度制御を続ける場合について説明したが、成形停止期間中には温度制御も停止し、成形再開信号を受信してから第２の設定温度でノズル１１を温度制御し、ノイズ内の樹脂が適度な軟度に軟化したところで、設定温度を第１の設定温度に戻して射出成形を再開しても良い。
【産業上の利用可能性】
【００４４】
本発明は、ノズル詰まりや糸引きを防止して成形品の未充填や外観不良を防止することができ、射出成形によって樹脂成形を行う射出成形機に係る、樹脂を射出する射出ノズルの温度制御方法等に有用である。
【図面の簡単な説明】
【００４５】
【図１】本発明の射出成形機の構成を説明するための模式断面図
【図２】実施の形態１における樹脂成形開始時の射出ノズル温度制御方法における温度変化を示す図
【図３】本発明の射出ノズル温度制御方法における設定温度変更工程を説明するフロー図
【図４】実施の形態２における樹脂成形開始時の射出ノズル温度制御方法における温度変化を示す図
【図５】実施の形態３における樹脂成形開始時の射出ノズル温度制御方法における温度変化を示す図
【図６】従来の連続成形中の射出ノズル温度制御方法における温度変化を示す図
【図７】従来の樹脂成形開始時の射出ノズル温度制御方法における温度変化を示す図
【符号の説明】
【００４６】
１    シリンダ
２    プランジャ
３    駆動手段
４    逆流防止弁
５    制御部
６    温度調整器
１１    ノズル
１２    供給口
１３    加熱装置
１４    熱電対
３１    スライドガイド軸
３２    支持台
３３    駆動モータ
３４    ねじ軸
３５    移動部材
３６    ロードセル
３７    エンコーダ
１００    射出装置
２００    予備可塑化装置
２０１    ホッパ
２０２    スクリュウ
２０３    スクリュウハウジング
３００    金型
３０１    キャビティ
３０２    スプルーランナー
３０３    ランナーゲート
３０４    製品部
【図１】
0005159401.tif 000002
【図２】
0005159401.tif 000003
【図３】
0005159401.tif 000004
【図４】
0005159401.tif 000005
【図５】
0005159401.tif 000006
【図６】
0005159401.tif 000007
【図７】
0005159401.tif 000008